【事件の表示】
　平成１１年特許願第３６６８３８号「携帯電話機」拒絶査定不服審判事件〔平成１３年　７月　６日出願公開、特開２００１−１８６２３４〕について、次のとおり審決する。
【結　論】
　本件審判の請求は、成り立たない。
【理　由】
１．手続の経緯と本願発明 
　本願は、平成１１年１２月２４日の出願であって、平成２０年１０月２日付け拒絶理由通知に対して同年１２月８日付けで意見書と手続補正書が提出されたが、平成２１年６月４日付けで拒絶査定がなされ、これを不服として同年９月９日付けで審判請求および手続補正がなされたが、同年１０月２０日付けで前置報告がなされたものであって、その特許請求の範囲の請求項１に係る発明（以下、「本願発明」という。）は、平成２１年９月９日付け手続補正書により補正された明細書及び図面の記載からみて、その特許請求の範囲の請求項１に記載された以下のとおりのものと認める。
　
「無線処理部と情報処理部と表示部とデータベース部を備えた画像を受信可能な携帯電話機において、
　着信履歴をデータベース部に格納すると共に、通話相手から指定された画像を着信履歴に関連付けしてデータベース部に格納し、着信履歴参照の際に該通話相手から指定された画像を表示可能とすることを特徴とした携帯電話機。」
　
２．引用発明と周知技術
（１）引用発明
　原査定の拒絶理由に引用された刊行物である特開平２−１１３６５７号公報(以下、「引用例」という。)には、「提示画面制御方式」に関し、図面とともに以下の事項が記載されている。
　
ア．「２．特許請求の範囲
（１）通信網を介して、通信相手側端末へ発信接続する手段と、発信接続した通信相手側端末の電話番号を一個あるいは複数個分記憶する手段と、接続した通信相手側端末から画像情報を受信して表示する手段と、前記受信した画像情報を一枚あるいは複数枚分記憶する手段と、該記憶した受信画像と通信相手側端末の電話番号とを組み合せて記憶する手段と、該組み合せた受信画像を案内提示画面として表示する手段と、該表示された一個あるいは複数個の案内提示画面の中から、その一つを選択する手段と、該選択された案内提示画面に対応する電話番号の回線に、機械的に発信する手段とを有し、前記通信相手側端末から受信した画像と相手の電話番号とを組み合せて記憶しておき、それを利用者に提示し、利用者が選択した相手に対して、自動的に発信することを特徴とする提示画面制御方式。
（２）統合デジタル通信サービス（ＩＳＤＮ）通信網を介して、通信相手側端末から着信、接続する手段と、該着信した通信相手側端末の電話番号（発呼者ＩＤ）を受信する手段と、該受信して通信相手側端末の電話番号を一個あるいは複数個分記憶する手段を有し、自分が発信した通信相手と自分に着信した相手の両方の通信相手を対象にして、通信相手端末から受信した画像と通信相手端末の電話番号とを組み合せて記憶しておき、それを利用者に提示し、利用者が選択した相手に対して、自動的に発信することをを特徴とする特許請求の範囲第一項に記載の提示画面制御方式。」（第１頁左欄第４行−同頁右欄第１３行）
　
イ．「［産業上の利用分野］
　本発明は、テレビ電話などの画像表示機能を持つ画像通信端末を対象とした発信接続の操作や、番号検索等の利便性を向上させた電話番号案内提示用の画面制御方式とその装置に関するものである。」（第２頁左上欄第１５−２０行）
　
ウ．「［実施例１］
　第１図は、本発明の提示画面制御方式を画面記憶形電話番号案内制御方式を用いた画像通信端末に適用した実施例１の概略構成を説明するためのブロック図である。
　第１図に示すように、本実施例１の画像通信端末Iは、マイクロプロセッサII、ボタンスイッチ３、画像メモリ５及び表示部（画像，文字，数字等を表示する）７からなっている。前記マイクロプロセッサIIは、通信制御部１、ボタン制御部２、電話番号記憶部画像出力制御部６、番号画面提示制御部８、画面合成制御部９及びデータバス１４からなっている。第１図において、１０は通信相手となる相手側画像入力端末、１１は例えば統合デジタル通信サービス（ＩＳＤＮ）通信網からなる通信網である。」（第３頁右下欄第１６行−第４頁左上欄第１１行）
　
エ．「（ｂ）相手端末側（相手側）から発信する場合には、相手側画像入力端末１０側からの着信信号が、ＩＳＤＮ通信網１１を介して、通信制御部１へ伝わり、相手側との接続処理が開始される。この際、ＩＳＤＮ通信網１１が統合デジタル通信サービス（ＩＳＤＮ）通信網の場合には、着信した相手側の電話番号（発呼者ＩＤ）が送られてくるので、この相手側の電話番号が通信制御部１と電話番号記憶部４とに伝えられる。
　通信制御部１は、着信した相手側に対して発呼処理を行い、ＩＳＤＮ通信網１１を介して、相手側画像入力端末１０と接続する。次いで、相手側の画像入力端末から送られてきた、画像情報信号を通信制御部１で受信し、さらに、画像出力制御部６において受信画像信号の復号化処理を行って、表示部７へ出力する。これにより、画像通信端末Iとしての画像受信機能が動作する。」（第４頁右上欄第９行−同頁左下欄第５行）
　
オ．「一方、前述のような画像通信の開始、終了の処理と並行して、番号・画面の記憶・提示処理が動作する。すなわち、番号画面提示制御部８は、前記のような通信接続時の電話番号情報及び受信画像情報を使って、端末利用者の発信番号案内を支援するため、以下の手順に従って、相手側から受信した画像と相手側の電話番号とを連結させて記憶し、端末利用者に案内画面として提示し、選択させる。
［１］相手側の電話番号の記憶
［２］受信画像の記憶
［３］番号案内用の提示画面作成
［４］提示画面の選択
以下にこの手順の詳細を説明する。
［１］画像通信端末Iの利用者が通信接続した通信相手の相手側画像入力端末１０の電話番号を装置内に記憶する。
　・・・（中略）・・・
［２］通信相手と接続して、相手側から受信した画像を記憶する。
　・・・（中略）・・・
［２−２］記憶する画像を選択する方法としては、次の方法のいずれかで行う。
（Ａ）通信接続中に、端末利用者があらかじめ定められたボタンスイッチ３を押して、記憶する画像を選択する。すなわち、ボタンスイッチ３が押された時刻に受信・表示していた画像を記憶する。
（Ｂ）通信を終了する直前に、相手側から受信・表示していた画像を記憶する。
（Ｃ）通信を終了する時刻より、一定時間だけ前に受信・表示した画像を記憶する。
［３］記憶した受信画像と、相手側の電話番号とを組み合せた番号案内用の提示画面を作成する。
　・・・（中略）・・・
［４］以上のようにして、［１］，［２］，［３］の手順で電話番号情報と受信画像とを使って作成した提示画面を電話番号簿として利用者に提示した後、利用者に必要な発信相手を選択してもらう。
　・・・（中略）・・・
　利用者が、あらかじめ定められたボタンスイッチ（提示指示）３を押して、番号画面の提示を指示すると、提示開始指示信号がボタン制御部２を介して、番号画面提示制御部８、画面合成制御部９に伝えられ画面合成制御部９において、記憶されていた相手側の電話番号と受信画像とを組み合せて合成した提示画面が作成される。作成された提示画面が、画像出力制御部６を介して、表示部に一組ずつ記憶されていた順番、あるいはその逆順で提示される。利用者が、あらかじめ定められたボタンスイッチ（ページめくり）を押して、ページめくりを指示すると、順番に提示画面を切り替えていく。利用者が、接続したい相手側の提示画面を見つけた、あらかじめ定められたボタンスイッチ（自動発信）３を押すと、提示画面に対応する相手側の電話番号が、電話番号記憶部４がら通信制御部１へ伝えられ発信処理が開始される。
　このように、相手側の電話番号と、相手側から受信した画像とが連結されて記憶及び提示されるため、相手側の名前や略号が示されなくても、相手側からの受信画像を見れば、相手側が誰であるかは一目瞭然となり、簡単に発信相手を選択できる。」（第４頁右下欄第５行−第７頁左上欄第１１行）
　
カ．「第２図は、電話番号と受信画像とを組み合せた提示画面の一例であり、提示画面２１の表示部に一組分の電話番号２２と受信画像２３を表示した場合の例である。
　通信相手がテレビ電話等のように、人物の場合には、相手側の顔画像を受信しているため、相手側の顔画像そのものが相手側の電話番号を識別するだめのインデックスとなる。」（第７頁左上欄第１２−１９行）
　
　上記引用例の記載及び図面ならびにこの分野における技術常識を考慮すると、
・引用例の提示画面制御方式は、テレビ電話などの画像表示機能を持つ画像通信端末を対象とし（摘記事項イ）、
・画像通信端末Iは、マイクロプロセッサII、表示部７、画像メモリ５、電話番号記憶部４を備え（摘記事項ウ，第１図）、
・相手端末側から発信する場合に、着信した相手側の電話番号（発呼者ＩＤ）を電話番号記憶部４に伝え、相手側の画像入力端末から送られてきた画像情報信号を復号化処理し（摘記事項エ）、
・画像通信端末Iは、利用者が通信接続した通信相手の相手側画像入力端末１０の電話番号を装置内に記憶し、相手側から受信した画像を記憶し、相手側から受信した画像と相手側の電話番号とを連結させて記憶し、端末利用者に提示画面として表示する（摘記事項オ，カ，第２図）が、このとき、電話番号は電話番号記憶部４に、画像は画像メモリ５に記憶されることは明らかであり、
　
　以上を総合すれば、上記引用例には以下の発明（以下、「引用発明」という。）が記載されている。
　
「マイクロプロセッサと表示部を備えた画像を受信可能な画像通信端末において、
　相手側から受信した画像と着信した相手側の電話番号とを連結させて記憶し、発信時に提示画面として表示する、画像通信端末。」
　
（２）周知技術
Ａ．周知例１
　原査定で周知例として引用された刊行物である特開平３−４１８８８号公報(以下、「周知例１」という。)には、「留守番録画機能付テレビ電話装置」に関し、以下の事項が記載されている。
　
ア．「第３図は留守番録画時、相手に画像等を送らせる指示を出す画像および音声を録画・録音するときの接続状態を示す図である。
スイッチ等を操作して撮影のモードにすると、制御部３は切替部４を制御して、送受話器５およびテレビカメラ７を録画部８に接続し、さらにディスプレイ６をテレビカメラ７に接続する。テレビ電話装置の使用者はディスプレイ６で自己の像をチェックしながら録画部８によって自己の像を記録部１０に記録するとともに、送受話器５によって音声を吹き込むことができる。」（第３頁右上欄第１８行−同頁左下欄第９行）
　
Ｂ．周知例２
　前置報告で周知例として引用された刊行物である特開平２−１５９１８８号公報（以下、「周知例２」という。）には、「伝送装置」に関し、以下の事項が記載されている。
　
ア．「次に本発明の一実施例の装置の全体の動作を第５図のフローチャートを用いて説明する。
　先ず、本実施例のテレビ電話を始動し、希望のモードを設定する。モードとしては通常テレビ電話モード、検索通話モード、相手登録モードがある。各モードは前述のスイッチ３０，３２の状態に応じステップ１（Ｓｌ）で判別される。まずスイッチ３０，３２によるモードが設定されていないモード、即ち通常テレビ電話モードについて説明する。
　・・・（中略）・・・
　ここで、もし相手側から電話がかかると受信モードに入り、Ｓ３で電話に出ることを促すようにベルが鳴る。
　・・・（中略）・・・
Ｓ５の電話で送信するとりきめができたら、使用者は画像送信モードスイッチの指示を行うことにより送信状態を設定し、Ｓ６で送信と判断されＳ９へ進む。
　Ｓ９ではビデオカメラから出力された画像信号はメモリ６を介してＤ／Ａ９へ出力される。これに依り、例えば自分の顔をビデオカメラ１で入力し、モニタ１１で確認することが出来る。Ｓ１０ではＯＫ／ＮＧスイッチによる指示に応じてモニタ１１に写しだされている映像が不都合な時はＳ９にフローは移り別の画像を入力する。操作者はモニタ１１上の画像を見ながら送信画像が決定したら、ＯＫ／ＮＧスイッチによるＯＫの操作でＳｌｌにおいてその画像をメモリ６にフリーズする。フリーズ後、Ｓ１２でＮＣＵ１３を電話１５から変調器１２側と切り換えるとともに、デュアルトーン信号を発生し、相手側を画像受信モードにセットし、まずＣＰＵ２８は自分の電話番号をパルスに変換し、相手側に送出して次にメモリ６にフリーズした画像を送出する。Ｓ１３で画像送出が終了するまで、Ｓ１２をくり返し、かかる送出が終了したらＳ４へフローは移る。
　・・・（中略）・・・
　かかる画像受信の際には先ず、ＮＣＵ１３が電話１５を復調器１６側に切り換え、相手側から送出されるパルスを相手側の電話番号に変換し、ＣＰＵ内部のレジスタに蓄え、メモリ６に画像をとり込むようにする。」（第４頁左上欄第７行〜同頁右下欄第７行）
　
イ．「次にＳｌで登録モードが設定された時の動作について第５図（Ｃ）を用いて説明する。
　かかる登録モードにおいては相手の画像及び電話番号をフロッピーディスクに記録し、検索用ディスクを作成する。先ずＳ５０で画像入力の選択をする。例えば既に相手から送られてきてメモリに蓄積されている画像に対し、電話番号を付加し、記録する場合であれば、Ｓ５１においてメモリ６からデータを読み出す様にメモリコントローラ５を制御してＰ／Ｓ８，Ｄ／Ａ９及びスイッチ５１を介してアナログ信号に変換された映像信号をＩＤビデオ記録回路２６に加え記録を行う。
　又、メモリ６に書き込まれた画像データをフロッピーディスクに記録するに際しては前述のＳ１５においても説明した様に相手側からの画像データを受信するに際しては相手側の電話番号をＣＰＵ２８は内部のレジスタに記憶しており、かかる記憶した電話番号を第２図、第４図のエリアに示す様にＤＰＳＫ変調して画像データと周波数多重して記録する。」（第５頁左下欄第１６行〜同頁右下欄第１４行）
　
　上記周知例１，２に記載されているように、テレビ電話において、「通話相手から指定された画像を記憶すること」は周知技術である。
　
３．対比
　本願発明と引用発明とを対比するに、
・引用発明の「マイクロプロセッサ」は、本願発明の「情報処理部」に相当し、
・本願発明の「携帯電話機」が、画像を通信可能な端末であることは自明であるから、引用発明の「画像通信端末」と本願発明の「携帯電話機」は、「画像通信端末」である点で共通し、
・引用発明の「着信した相手側の電話番号」は本願発明の「着信履歴」に含まれ、
・引用発明の「相手側から受信した画像」と本願発明の「通話相手から指定された画像」は「画像」である点で共通し、
・引用発明の「連結させて記憶し」と本願発明の「関連付けして」「格納し」とは実質的に同義であり、
・引用発明において、「発信時」に表示する提示画面は、以前に着信した通話における相手側の電話番号と受信した画像とを連結させて構成したものであって、着信履歴の提示画面といいうるものであり、「発信時」にこの提示画面を「参照」することは自明であるから、引用発明の「発信時」は、本願発明の「着信履歴参照の際に」に含まれ、
・引用発明の「提示画面」は「相手側から受信した画像」を含むものであるから、引用発明の「提示画面」と本願発明の「該通話相手から指定された画像」は、「画像」である点で共通し、
・引用発明の「として表示する」と本願発明の「表示可能とする」とは実質的に同一であり、
　
　したがって、両発明は以下の点で一致及び相違する。
　
（一致点）
「情報処理部と表示部を備えた画像を受信可能な画像通信端末において、
　画像を着信履歴に関連付けして格納し、着信履歴参照の際に該画像を表示可能とする画像通信端末。」
　
（相違点１）
　本願発明は「無線処理部」を備えるのに対し、引用発明は「無線処理部」を備えない点。
（相違点２）
　本願発明は「データベース部」を備え、着信履歴や画像は該「データベース部」に格納されるのに対し、引用発明は、電話番号が画像がどの部分に記憶されるのか不明である点。
（相違点３）
　格納され、表示可能とされる「画像」が　本願発明では、「通話相手から指定された画像」であるのに対し、引用発明では「相手側から受信した画像」である点。
（相違点４）
　「画像通信端末」が、本願発明では「携帯電話機」であるのに対し、引用発明では単に「画像通信端末」である点。
　
４．検討
　以下に、上記各相違点につき検討する。
　
　（相違点１）および（相違点４）について
　画像通信端末として携帯電話機は周知の端末であり、また、携帯電話機が無線で通信するものである以上、無線処理部を備えることは言うまでもないことであるから、引用発明の画像通信端末を、本願発明のように、無線処理部を備えた携帯電話機に限定することは、当業者が必要に応じて適宜なし得るものである。
　したがって、引用発明の「画像通信端末」に「無線処理部」を備えさせること、および、引用発明の「画像通信端末」を「携帯電話機」と限定すること、は、いずれも当業者が必要に応じて適宜なし得るものである。
　
　（相違点２）について
　引用例に「前記通信相手側端末から受信した画像と相手の電話番号とを組み合せて記憶しておき、それを利用者に提示し」（摘記事項ア）と記載されているように、引用発明の電話番号と画像は組み合わされて利用されるものであるから、これらをひとつの記憶部にデータベースとして格納しておくことは当業者が適宜なし得るものである。
　したがって、引用発明を、本願発明のように、「データベース部」を備え、着信履歴や画像は該「データベース部」に格納されるよう構成することは、当業者であれば容易になし得たものと認められる。
　
　（相違点３）について
「２．引用発明と周知技術」の項中の「（２）周知技術」の項に記したように、「通話相手から指定された画像を記憶すること」は、テレビ電話において周知技術である。
　そして、引用発明の「画像通信端末」は、「テレビ電話などの画像表示機能を持つ画像通信端末」（摘記事項イ）と記載されているように、具体的には「テレビ電話」であるから、上記周知技術を引用発明に単に適用することにより、引用発明の、格納され、表示可能とされる「画像」である、「相手側から受信した画像」を、本願発明のように、「通話相手から指定された画像」とすることは当業者が容易に想到し得るものと認められる。
　
　そして、本願発明の作用・効果も引用発明および周知技術から当業者が予測し得る範囲のものである。
　
５．むすび
　以上のとおり、本願発明は、上記引用発明および周知技術に基づいて、当業者が容易に発明をすることができたものと認められるから、特許法第２９条第２項の規定により特許を受けることができない。
　
　よって、結論のとおり審決する。